(57)【要約】【課題】肌が荒れない温水を含んだコットンを用いて、容易かつ簡便に乳幼児の身体（特に尻部）を拭浄することができるコットン収納容器を提供することができる。【解決手段】本発明のコットン収納容器Ｐは、コットン７０を収納するコットン収納部３０と、ポンプ機構収納部２０とを有する本体１０と、本体１０にヒンジ４１を介して連結され、本体１０を覆う蓋体４０とを備えている。ポンプ機構収納部２０内には、温水を収容するとともに、収容した温水を外方へ排出するポンプ機構５０が収納される。ポンプ機構５０は、上下方向に移動して温水を導いて蓄える皿部５７を有している。【選択図】図２
2007330528.tif 000002
【特許請求の範囲】
【請求項１】
コットンを収納するコットン収納部と、ポンプ機構収納部とを有する本体と、
本体にヒンジを介して連結され、本体を覆う蓋体と、
ポンプ機構収納部内に収納され、温水を収容するとともに、収容した温水を外方へ排出するポンプ機構とを備え、
ポンプ機構は、上下方向に移動して温水を導いて蓄える皿部を有することを特徴とするコットン収納容器。
【請求項２】
ポンプ機構は、口部を含み、温水を収容するポンプ容器と、口部に取り付けられたポンプ蓋と、ポンプ蓋に取り付けられ、上端に皿部が連結されるとともに、ポンプ容器内に延びる吸引管とを有し、
皿部が口部に対して上下方向に移動することによって、ポンプ容器内に収容された温水が吸引管を介して皿部上まで吸引されることを特徴とする請求項１記載のコットン収納容器。
【請求項３】
本体のポンプ機構収納部側の側壁に、ポンプ機構収納部と外部とを連通する切欠きが設けられたことを特徴とする請求項１記載のコットン収納容器。
【請求項４】
蓋体のヒンジ側の上面と、本体のヒンジ側の底部の各々に、把持用凹部が設けられたことを特徴とする請求項１記載のコットン収納容器。
【請求項５】
コットン収納部とポンプ機構収納部との間に、防水用隔壁が設けられたことを特徴とする請求項１記載のコットン収納容器。
【請求項６】
ポンプ機構収納部の近傍に、ヒータが設けられたことを特徴とする請求項１記載のコットン収納容器。
【請求項７】
コットン収納部は、側面に、上下方向に延びる取出用凹部を有することを特徴とする請求項１記載のコットン収納容器。
【請求項８】
蓋体は、本体を覆う閉鎖時に、本体に設けられた切欠きの上方に位置するとともに、内方に突出し、指が挟まることを防止する指挟み防止部を有することを特徴とする請求項３記載のコットン収納容器。
【請求項９】
本体は、コットン収納部に対して防水用隔壁と反対側に、コットン保持用隔壁を有することを特徴とする請求項５記載のコットン収納容器。
【請求項１０】
防水用隔壁とコットン保持用隔壁との間に、コットン収納部に収納されたコットンを取り出すためのコットン取出用間隙が設けられたことを特徴とする請求項９記載のコットン収納容器。
【請求項１１】
本体のポンプ機構収納部側の側壁に、ポンプ機構収納部と外部とを連通する切欠きが設けられ、
当該切欠きの下方端部の高さは、ポンプ機構収納部内に配置されたポンプ機構のポンプ容器内に延びる吸引管の下方先端の高さに一致していることを特徴とする請求項２記載のコットン収納容器。
【請求項１２】
本体を覆う蓋体は、全体として透明材料からなることを特徴とする請求項１記載のコットン収納容器。
【発明の詳細な説明】
【技術分野】
【０００１】
本発明は、コットンを収納するコットン収納容器に係り、とりわけ、肌が荒れない温水を含むコットンを用いて、容易かつ簡便に乳幼児の身体（特に尻部）を拭浄することができるコットン収納容器に関する。
【背景技術】
【０００２】
乳幼児（特に乳児）が糞便すると、乳幼児の尻部から糞便を拭き取り、尻部を拭浄する必要がある。従来から、このように乳幼児の尻部から糞便を拭き取り、尻部を拭浄するために、ウェットティッシュや、温水に浸して湿らせたコットン等が用いられている。
【０００３】
しかしながら、ウェットティッシュには、防腐剤や保存料などの薬剤が塗布されており、このような薬剤によって、拭浄した乳幼児の肌が荒れてしまうことがある。
【０００４】
また、温水に浸して湿らせたコットンを用いて尻部を拭浄すれば、このように乳幼児の肌が荒れてしまうことはないが、乳幼児の尻部についた糞便を拭き取るたびに、タッパに温水を溜める等の必要があり、不便である。とりわけ、母親等が乳幼児を抱えたまま、このように乳幼児の尻部から糞便を拭き取り、尻部を拭浄することは母親等に大きな負担がかかってしまっている。
【発明の開示】
【発明が解決しようとする課題】
【０００５】
本発明は、このような点を考慮してなされたものであり、肌が荒れない温水を含むコットンを用いて、容易かつ簡便に乳幼児の身体（特に尻部）を拭浄することができるコットン収納容器を提供することを目的とする。
【課題を解決するための手段】
【０００６】
本発明は、コットンを収納するコットン収納部と、ポンプ機構収納部とを有する本体と、本体にヒンジを介して連結され、本体を覆う蓋体と、ポンプ機構収納部内に収納され、温水を収容するとともに、収容した温水を外方へ排出するポンプ機構とを備え、ポンプ機構が、上下方向に移動して温水を導いて蓄える皿部を有することを特徴とするコットン収納容器である。
【０００７】
このような構成により、母親等は、肌が荒れない温水を含むコットンを用いて、容易かつ簡便に乳幼児の身体（特に尻部）を拭浄することができる。
【０００８】
本発明は、ポンプ機構が、口部を含み、温水を収容するポンプ容器と、口部に取り付けられたポンプ蓋と、ポンプ蓋に取り付けられ、上端に皿部が連結されるとともに、ポンプ容器内に延びる吸引管とを有し、皿部が口部に対して上下方向に移動することによって、ポンプ容器内に収容された温水が吸引管を介して皿部上まで吸引されることを特徴とするコットン収納容器である。
【０００９】
本発明は、本体のポンプ機構収納部側の側壁に、ポンプ機構収納部と外部とを連通する切欠きが設けられたことを特徴とするコットン収納容器である。
【００１０】
このような構成により、母親等は、ポンプ機構に収容されている残った温水の量を視認することができ、温水を追加したり、交換したりする時期を容易に判断することができる。
【００１１】
本発明は、蓋体のヒンジ側の上面と、本体のヒンジ側の底部の各々に、把持用凹部が設けられたことを特徴とするコットン収納容器である。
【００１２】
このような構成により、母親等は、コットン収納容器を片手で容易に把持し、搬送することができる。
【００１３】
本発明は、コットン収納部とポンプ機構収納部との間に、防水用隔壁が設けられたことを特徴とするコットン収納容器である。
【００１４】
このような構成により、ポンプ機構から吸引される温水が、コットン収納部に収納されたコットンにかかることを防止することができる。
【００１５】
本発明は、ポンプ機構収納部の近傍に、ヒータが設けられたことを特徴とするコットン収納容器である。
【００１６】
このような構成により、ポンプ機構に収容された温水を保温することができる。
【００１７】
本発明は、コットン収納部が、側面に、上下方向に延びる取出用凹部を有することを特徴とするコットン収納容器である。
【００１８】
このような構成により、コットン収納部に収納されたコットンが少なくなった場合でも、母親等は、コットン収納部からコットンを容易に取り出すことができる。
【００１９】
本発明は、蓋体が、本体を覆う閉鎖時に、本体に設けられた切欠きの上方に位置するとともに、内方に突出し、指が挟まることを防止する指挟み防止部を有することを特徴とするコットン収納容器である。
【００２０】
このような構成により、本体に設けられた切欠きから蓋体内部に乳幼児が指を入れて、指が挟まってしまうことを防止することができる。
【００２１】
本発明は、本体が、コットン収納部に対して防水用隔壁と反対側に、コットン保持用隔壁を有することを特徴とするコットン収納容器である。
【００２２】
このような構成により、防水用隔壁とコットン保持用隔壁とによって、コットン収納部に収納されたコットンを側方から支持することができ、より多くのコットンをコットン収納部に収納することができる。
【００２３】
本発明は、防水用隔壁とコットン保持用隔壁との間に、コットン収納部に収納されたコットンを取り出すためのコットン取出用間隙が設けられたことを特徴とするコットン収納容器である。
【００２４】
このような構成により、防水用隔壁やコットン保持用隔壁によって側方から支持されたコットンをコットン収納部から容易に取り出すことができる。
【００２５】
本発明は、本体のポンプ機構収納部側の側壁に、ポンプ機構収納部と外部とを連通する切欠きが設けられ、当該切欠きの下方端部の高さが、ポンプ機構収納部内に配置されたポンプ機構のポンプ容器内に延びる吸引管の下方先端の高さに一致していることを特徴とするコットン収納容器である。
【００２６】
このような構成により、母親等は切欠きを介してポンプ容器の温水を吸出することができなくなる下限を確認することができるので、適切な時点で、ポンプ容器内に収容された温水を交換することができる。
【００２７】
本発明は、本体を覆う蓋体が、全体として透明材料からなることを特徴とするコットン収納容器である。
【００２８】
このような構成により、蓋体を本体に対して閉じている状態であっても、母親等はコットン収納部内に収納されているコットンの残量を視認することができる。
【発明の効果】
【００２９】
本発明によれば、皿部を上下方向に移動させて温水を皿部に導き、コットン収納容器内に収納されたコットンを皿部上に載置することにより、コットン内に肌が荒れない温水を含ませることができる。このように温水を含ませたコットンを用いて、容易かつ簡便に乳幼児の身体（特に尻部）を拭浄することができる。
【発明を実施するための最良の形態】
【００３０】
発明の実施の形態
以下、本発明に係るコットン収納容器の実施の形態について、図面を参照して説明する。ここで、図１乃至図９は本発明の実施の形態を示す図である。
【００３１】
図１乃至図３に示すように、コットン収納容器Ｐは、一枚一枚積層されたコットン７０を収納するコットン収納部３０と、ポンプ機構収納部２０とを有する本体１０と、本体１０にヒンジ４１を介して連結され、本体１０を覆う蓋体４０と、ポンプ機構収納部２０内に収納され、温水を収容するとともに、収容した温水を外方へ排出するポンプ機構５０とを備えている。なお、ヒンジ４１は、本体１０の側方に延在して設けられたヒンジ軸１１に嵌合している。また、本体１０はポリプロピレン製となっており、蓋体４０は全体として透明性を有するポリプロピレン製となっている。ここで、図３は、蓋体４０を取り除いたコットン収納容器Ｐの本体１０を上方から見た平面図である。
【００３２】
コットン収納容器Ｐのポンプ機構５０は、図２及び図５に示すように、上下方向に移動して温水を導いて蓄える皿部５７を有している。具体的には、図５に示すように、ポンプ機構５０は、口部（図示せず）を含み、温水を収容するポンプ容器５１と、口部に取り付けられたポンプ蓋５２と、ポンプ蓋５２に取り付けられ、上端に皿部５７が連結されるとともに、ポンプ容器５１内に延びる吸引管５６とを有している。なお、ポンプ機構５０は、ポンプ機構収納部２０から取出自在となっている（図１及び図２参照）。また、図５に示すように、ポンプ機構５０のポンプ容器５１の外部側壁５１ａには、ポンプ容器５１に温水を追加したり、交換したりするときに収容される量の目安となる見切り線５９が設けられている。
【００３３】
また、図１、図３及び図４に示すように、本体１０のポンプ機構収納部２０側の側壁２２には、ポンプ機構収納部２０と外部とを連通する切欠き１５が設けられている。なお、切欠き１５の下方端部１５ｌの高さは、ポンプ機構５０がポンプ機構収納部２０に収納された際に、ポンプ容器５１内に延びる吸引管５６の下方先端５６ｌの高さに一致している（図４及び図５参照）。このように、切欠き１５の下方端部１５ｌの高さを、吸引管５６の下方先端５６ｌの高さに一致させることにより、母親等が外部から切欠き１５ｒを介してポンプ容器５１内の温水を吸出できなくなる下限を確認することができる。ここで、図４は、蓋部４０を開放したコットン収納容器Ｐを切欠き１５側の側方から見た側方図である。
【００３４】
また、図１及び図２に示すように、蓋体４０の内部側壁４０ｉであって、蓋体４０を本体１０に対して閉鎖したときに本体１０に設けられた切欠き１５の上方に位置する箇所に、内方に突出し、指が挟まることを防止する指挟み防止部４２が設けられている。
【００３５】
また、図１及び図３に示すように、本体１０のヒンジ軸１１とは反対側の側壁１０ｒには、突出部１９が設けられている。また、図１及び図８に示すように、蓋体４０のヒンジ４１とは反対側の側壁４０ｒには、本体１０の突出部１９が嵌合される嵌合凹部４９を含む嵌合ボタン４７が設けられている。なお、図８は、嵌合ボタン４７の嵌合凹部４９に、突出部１９が挿入されている様子を示す側方断面図である。
【００３６】
また、図１及び図２に示すように、蓋体４０の上面４０ｕのヒンジ４１側と、本体１０の底部１０ｌのヒンジ４１側（ヒンジ軸１１側）の各々には、コットン収納容器Ｐを運ぶ際に、手で把持するための把持用凹部６１，６２が設けられている。具体的には、蓋体４０の上面４０ｕのヒンジ４１側には把持用凹部６１が設けられ、本体１０の底部１０ｌのヒンジ軸１１側には把持用凹部６２が設けられている。
【００３７】
また、図１乃至図４に示すように、コットン収納部３０とポンプ機構収納部２０との間には、防水用隔壁３１が設けられている。また、図１乃至図３に示すように、本体１０のコットン収納部３０に対して防水用隔壁３１と反対側には、コットン保持用隔壁３２が設けられている。なお、防水用隔壁３１とコットン保持用隔壁３２とは分離され、この分離された部分がコットン取出用間隙３３となっている。また、コットン収納部３０は一側（図１の手前側、図３の左側）で外方へ拡張されて取出用凹部３５を形成し、この取出用凹部３５はコットン収納部３０内に収納されたコットン７０を取り出すために用いられる。
【００３８】
また、本体１０の底部１０ｌ内部であって、ポンプ機構収納部２０の近傍には、ポンプ機構５０に収容された温水を保温するためのヒータ２０ａが設けられている（図３参照）。なお、本体１０の底部１０ｌには、図１、図２及び図４に示すように、電源に接続され、ヒータ２０ａに電力を供給するためのコード７６ａとコード７６ａに連結されたプラグ７６とが設けられている。
【００３９】
次に、このような構成からなる本実施の形態の作用について述べる。
【００４０】
コットン収納容器Ｐに収納されるコットン７０は、乳幼児の身体を拭浄するため、とりわけ、乳幼児の尻部から糞便を拭き取り、尻部を拭浄するために用いられる。以下、コットン収納容器Ｐにコットン７０及びポンプ機構５０を収納して準備する工程（準備工程８０）と、このように収納されたコットン７０を用いて乳幼児の尻部から糞便を拭き取り、尻部を拭浄する工程（コットン使用工程９０）について説明する。
【００４１】
（準備工程８０）
最初に、コットン収納容器Ｐにコットン７０及びポンプ機構５０を収納して準備する工程（準備工程８０）について説明する（図９参照）。
【００４２】
まず、母親等がコットン収納部３０に複数枚積層されたコットン７０を収納し、ポンプ機構収納部２０に、温水を収容したポンプ機構５０を収納する（収納工程８１）（図２、図６及び図９参照）。なお、コットン７０及びポンプ機構５０を収納した後は、蓋体４０を本体１０に対して閉鎖しておく（図２参照）。このように、蓋体４０を本体１０に対し閉鎖することによって、コットン収納容器Ｐに収納されたコットン７０に埃などがかかったり、乳幼児がコットン７０やポンプ機構５０に悪戯したりすることを防止することができる。
【００４３】
このとき、図１、図２、図３及び図６に示すように、コットン収納部３０とポンプ機構収納部２０との間には、防水用隔壁３１が設けられ、かつコットン収納部３０に対して防水用隔壁３１と反対側には、コットン保持用隔壁３２が設けられている。このため、防水用隔壁３１とコットン保持用隔壁３２とによって、コットン収納部３０に収納されたコットン７０を側方から支持することができ、より多くのコットン７０をコットン収納部３０に収納することができる。
【００４４】
次に、本体１０にコード７６ａを介して設けられたプラグ７６を電源（コンセント等）に接続し、電源からの電力を、本体１０の底部１０ｌ内部であって、ポンプ機構収納部２０の近傍に設けられたヒータ２０ａに供給する（電力供給工程８２）（図２及び図９参照）。このように、電源から電力が供給されることによって、ヒータ２０ａは、ポンプ機構５０に収容された温水を保温することができる。
【００４５】
（コットン使用工程９０）
次に、上述のように収納されたコットン７０を用いて乳幼児の身体を拭浄する工程（コットン使用工程９０）について説明する（図９参照）。
【００４６】
まず、蓋体４０に設けられた嵌合ボタン４７を（図８の矢印の方向に）持ち上げて、本体１０の突出部１９から、嵌合ボタン４７の嵌合凹部４９を抜く。次に、蓋体４０を本体１０に対して開放する（開放工程９１）（図８及び図９参照）。このとき、片手で、蓋体４０を本体１０に対して開放することができる。
【００４７】
次に、本体１０のコットン収納部３０に収納されたコットン７０を取り出す（コットン取出工程９２）（図６及び図９参照）。
【００４８】
ここで、図１、図２、図３及び図６に示すように、防水用隔壁３１とコットン保持用隔壁３２との間には、コットン収納部３０に収納されたコットン７０を取り出すためのコットン取出用間隙３３が設けられている。このため、防水用隔壁３１とコットン保持用隔壁３２とによって側方から支持されたコットン７０をコットン収納部３０からコットン取出用間隙３３を介して容易に取り出すことができる。
【００４９】
また、図１、図３及び図６に示すように、コットン収納部３０には、上下方向に延びる取出用凹部３５が設けられている。このため、コットン収納部３０に収納されているコットン７０の量が少なくなった場合でも、コットン収納部３０からコットン７０を容易に取り出すことができる。
【００５０】
次に、母親等が取り出した一枚のコットン７０を、ポンプ機構収納部２０に収納されたポンプ機構５０の皿部５７上に載置し、このコットン７０を介して皿部５７を押圧する（図６参照）。このように、コットン７０を介して皿部５７を押圧することによって、皿部５７がポンプ容器５１の口部に対して下方に移動して、ポンプ容器５１内に収容された温水が吸引管５６及び皿部５７に設けられた多数の吸引孔（図示せず）を通って皿部５７上まで吸引される。そして、吸引された温水は皿部５７上で蓄えられ、皿部５７上のコットン７０に吸収される（コットン吸湿工程９３）（図６及び図９参照）。
【００５１】
このとき、上述のように吸引された温水は皿部５７上に蓄えられるため、皿部５７を一度押圧するだけで、コットン７０の広範囲を温水に浸すことができる。また、皿部５７を押圧するだけで、ポンプ容器５１に収容された温水が吸引されるので、片手でコットン７０を湿らせることができる。
【００５２】
また、図１、図２、図３、図４及び図６に示すように、コットン収納部３０とポンプ機構収納部２０との間には、防水用隔壁３１が設けられているため、皿部５７を下方に押圧した際にポンプ容器５１から吸引される温水が、コットン収納部３０に収納されたコットン７０にかかることを防止することができる。
【００５３】
次に、母親等は、皿部５７上で温水を含んで湿ったコットン７０を用いて、乳幼児の尻部から糞便を拭き取り、尻部を拭浄する（拭浄工程９４）（図９参照）。
【００５４】
上述のような構成のコットン収納容器Ｐを用いることによって、肌が荒れない温水を浸したコットン７０を用いて、容易かつ簡便に乳幼児の身体（特に尻部）を拭浄することができる。
【００５５】
なお、上述した一連の開放工程９１、コットン取出工程９２及びコットン吸湿工程９３において、母親等は片手で作業することができるので、乳幼児（特に乳児）を抱きかかえたままであっても作業することができる。
【００５６】
ところで、ポンプ機構５０のポンプ容器５１内に収容された温水を所定量だけ利用すると、ポンプ機構５０のポンプ容器５１内に温水を新たに加えたり、交換したりする必要がある。このように温水を追加したり、交換したりする時期を判断するために、本体１０のポンプ機構収納部２０側の側壁２２に設けられた、ポンプ機構収納部２０と外部とを連通する切欠き１５が用いられる（図１及び図３参照）。
【００５７】
すなわち、図１、図３、図４及び図６に示すように、当該切欠き１５によって、ポンプ機構収納部２０と外部とが連通されているので、ポンプ機構５０のポンプ容器５１内に収容されている残った温水の量を母親等は視認することができる。このため、温水を追加したり、交換したりする時期を容易に判断することができる。
【００５８】
また、蓋体４０は全体として透明性を有しているので、蓋体４０を本体１０に対して閉じている状態であっても、母親等はコットン収納部３０内に収納されているコットンの残量を視認することができる。
【００５９】
なお、切欠き１５の下方端部１５ｌの高さは、ポンプ機構収納部２０内に配置されたポンプ機構５０のポンプ容器５１内に延びる吸引管５６の下方先端５６ｌの高さに一致している（図４及び図５参照）。このため、母親等は切欠きを介してポンプ容器５１の温水を吸出することができなくなる下限を確認することができるので、適切な時点で、ポンプ容器５１内に収容された温水を交換することができる。従って、適切な時点で、ポンプ機構５０内に収容された温水を交換することができる。なお、「切欠き１５の下方端部１５ｌの高さが、ポンプ機構収納部２０内に配置されたポンプ機構５０のポンプ容器５１内に延びる吸引管５６の下方先端５６ｌの高さに一致している」とは、切欠き１５の下方端部１５ｌの高さと吸引管５６の下方先端５６ｌの高さが完全に一致しているのではなく、概ね一致していることを意味している。
【００６０】
また、図１及び図３に示すように、蓋体４０の内部側壁４０ｉであって、蓋体４０を本体１０に対して閉鎖したときに本体１０に設けられた切欠き１５の上方に位置する箇所に、内方に突出した指挟み防止部４２が設けられている。このため、上記切欠き１５から蓋体４０の内部に乳幼児が指を入れて、指が挟まってしまうことを防止することができる。
【００６１】
また、図１、図２及び図７に示すように、蓋体４０のヒンジ４１側の上面４０ｕと、本体１０のヒンジ軸１１側の底部１０ｌの各々に、把持用凹部６１，６２が設けられている。このため、図７に示すように、当該把持用凹部６１，６２を用いて、コットン収納容器Ｐを片手で容易に把持し、搬送することができる。
【００６２】
なお、上記実施の形態では、ポンプ機構５０に収容された温水を保温するためにヒータ２０ａを用いる態様によって説明したが、これに限ることなく、ポンプ機構５０に収容された冷水を所定の温度まで上昇させるためにヒータ２０ａを用いることもできる。
【図面の簡単な説明】
【００６３】
【図１】本発明の実施の形態によるコットン収納容器を示す斜視図。
【図２】図１のコットン収納容器において、本体に対して蓋体が閉じた状態を矢印ＩＩ方向からみた斜視図。
【図３】本発明の実施の形態によるコットン収納容器の本体を上方から見た平面図。
【図４】本発明の実施の形態において、蓋部が開放したコットン収納容器を切欠き側の側方から見た側方図。
【図５】本発明の実施の形態によるコットン収納容器のポンプ機構を示す斜視図。
【図６】本発明の実施の形態によるコットン収納容器を用いて、コットンに温水を吸湿させる態様を示す斜視図。
【図７】本発明の実施の形態によるコットン収納容器の把持用凹部を用いて、コットン収納容器を片手で把持し、搬送する態様を示す斜視図。
【図８】嵌合ボタンの嵌合凹部に、本体の突出部が挿入されている様子を示す側方断面図。
【図９】本発明の実施の形態によるコットン収納容器の準備工程及びコットン使用工程を示すフロー図。
【符号の説明】
【００６４】
１０    本体
１０ｌ  本体の底部
１５    切欠き
２０    ポンプ機構収納部
２０ａ  ヒータ
２２    ポンプ機構収納部側の側壁
３０    コットン収納部
３１    防水用隔壁
３２    コットン保持用隔壁
３３    コットン取出用間隙
３５    取出用凹部
４０    蓋体
４０ｕ  蓋体の上面
４１    ヒンジ
４２    指挟み防止部
５０    ポンプ機構
５１    ポンプ容器
５２    ポンプ蓋
５６    吸引管
５７    皿部
６１    蓋体の把持用凹部
６２    本体の把持用凹部
７０    コットン
【図１】
2007330528.tif 000003
【図２】
2007330528.tif 000004
【図３】
2007330528.tif 000005
【図４】
2007330528.tif 000006
【図５】
2007330528.tif 000007
【図６】
2007330528.tif 000008
【図７】
2007330528.tif 000009
【図８】
2007330528.tif 000010
【図９】
2007330528.tif 000011